【事件の表示】
　特許第３０９４１９３号「体液吸収用当て材」の請求項１及び２に係る特許に対する特許異議の申立てについて、次のとおり決定する。
【結　論】
　訂正を認める。
　特許第３０９４１９３号の請求項１及び２に係る特許を維持する。
【理　由】
１．手続きの経緯
　本件特許第３０９４１９３の請求項１及び２に係る発明は、平成５年６月２９日に特許出願され、平成１２年８月４日に特許権の設定の登録がされた。その後、特許異議申立人池田英治により特許異議の申立てがされ、特許取消し理由が通知された後、平成１３年１２月１３日付けで明細書の訂正の請求がされた。
     　
２．訂正請求について
（１）訂正の内容
訂正事項ａ
　特許請求の範囲の請求項１の
「【請求項１】　体液を吸収すべき領域を有する本体部と樹脂製フィルムとを具備し、下着へ貼付するための粘着部が本体部に設けられ、その上に凹凸が形成された樹脂製フィルムが貼着されるとともに、前記樹脂製フィルムの幅は本体部の左右方向の幅より広く形成され、
　本体部に前記樹脂製フィルムが貼着された状態でこれを外方側にして折り畳まれると共に、本体部の左右方向にはみ出した前記樹脂製フィルムの周辺領域の相互間が使用時には開封可能に固着されていることを特徴とする体液吸収用当て材。」
を
「【請求項１】　体液を吸収すべき領域を有する本体部と樹脂製フィルムとを具備し、下着へ貼付するための粘着部が本体部に設けられ、その上に凹凸が全面に形成された樹脂製フィルムが貼着されるとともに、前記樹脂製フィルムの幅は本体部の左右方向の幅より広く形成され、
　本体部に前記樹脂製フィルムが貼着された状態でこれを外方側にして折り畳まれると共に、本体部の左右方向にはみ出した前記樹脂製フィルムの周辺領域の相互間が使用時には開封可能に、融着又はホット・メルト型の接着剤を使用した接着により、固着されていることを特徴とする体液吸収用当て材。」
に訂正する。
　
訂正事項ｂ−１
　発明の詳細な説明の【０００６】欄の
「その上に凹凸が形成された樹脂製フィルムが貼着されるとともに」
を
「その上に凹凸が全面に形成された樹脂製フィルムが貼着されるとともに」
に訂正する。
　
訂正事項ｂ−２
　発明の詳細な説明の【０００６】欄の
「本体部の左右方法にはみ出した前記樹脂製フィルムの周辺領域の相互間が使用時には開封可能に固着されていることを特徴とする。」
を
「本体部の左右方法にはみ出した前記樹脂製フィルムの周辺領域の相互間が使用時には開封可能に、融着又はホット・メルト型の接着剤を使用した接着により、固着されていることを特徴とする。」
に訂正する。
　
（２）訂正の適否について
　訂正事項ａは、特許請求の範囲の請求項１に、「全面に」という構成要件及び「融着又はホット・メルト型の接着剤を使用した接着により」という構成要件を追加して、それぞれ、凹凸の形成範囲及び固着手段を限定するものであるので、特許請求の範囲の減縮を目的とする訂正である。
　
　訂正事項ｂ−１及びｂ−２は、訂正事項ａによって特許請求の範囲が減縮されたことに伴い、発明の詳細な説明の対応部分の整合を図るものであるので、明りょうでない記載の釈明を目的とする訂正である。
　
　そして、訂正事項ａ、ｂ−１及びｂ−２は、明細書の【００１２】欄の「樹脂フィルムの全面に凹凸を形成しても固着性を喪失しない。」及び【００１３】欄の「本体部１の左右方向にはみ出した前記樹脂フィルム２の周辺領域３を使用時には開封可能となるように融着荷より固着する。・・・また例えばホットメルト型の接着剤などを使用し接着により固着しても良い。」との記載からみて、願書に添付した明細書に記載した事項の範囲内での訂正であり、また、実質上特許請求の範囲を拡張し、又は変更するものでもない。
　
　したがって、本件訂正は、特許法等の一部を改正する法律（平成６年法律第１１６号）附則第６条第１項の規定によりなお従前の例によるとされる、特許法第１２０条の４第３項において準用する平成６年法律１１６号による改正前の特許法第１２６条第１項ただし書及び第２項の規定に適合するので、訂正を認める。 
  
３．特許異議の申立てについての判断
（１）特許異議申立の理由の概要
　特許異議申立人は、本件特許の請求項１及び２に係る発明は、甲第１号証［実願昭６３−９６０３８号（実開平２−１７１２７号）のマイクロフィルム］及び甲第２号証［実願平２−２９９２３号（実開平３−１２２８２５号）のマイクロフィルム］に記載された発明から当業者が容易に発明できたものであるから、本件特許は特許法第２９条第２項の規定に違反してされたものであり、取り消されるべきものであると主張している。
　
（２）本件発明
  上記２．に示したように本件訂正は認められるから、本件特許の請求項１及び２に係る発明は、訂正明細書の特許請求の範囲に記載された次のとおりのものである。
【請求項１】　体液を吸収すべき領域を有する本体部と樹脂製フィルムとを具備し、下着へ貼付するための粘着部が本体部に設けられ、その上に凹凸が全面に形成された樹脂製フィルムが貼着されるとともに、前記樹脂製フィルムの幅は本体部の左右方向の幅より広く形成され、
　本体部に前記樹脂製フィルムが貼着された状態でこれを外方側にして折り畳まれると共に、本体部の左右方向にはみ出した前記樹脂製フィルムの周辺領域の相互間が使用時には開封可能に、融着又はホット・メルト型の接着剤を使用した接着により、固着されていることを特徴とする体液吸収用当て材。
【請求項２】　前記樹脂製フィルムには、エンボス処理により凹凸が形成されていることを特徴とする請求項１記載の体液吸収用当て材。
     
（２）甲第１号証及び甲第２号証に記載された事項
　特許異議申立人が提出した甲第１号証及び甲第２号証には、以下の事項が図面と共に記載されている。
     　
甲第１号証：実願昭６３−９６０３８号（実開平２−１７１２７号）のマイクロフィルム
・「非使用面に粘着手段を有する生理用ナプキンを、内面を上記粘着手段に対して剥離性を示す剥離面とした包装材の内部に、非使用面全面を剥離面に当接させた状態で包み込み、該包装材の少なくとも側端部を止着してなることを特徴とする生理用ナプキン個別包装体。」（実用新案登録請求の範囲）
・「該生理用ナプキンの非使用面１ａには、着用時にショーツ等へ止着するための粘着手段３が付設されている。」（第５頁７〜９行）
・「上記包接材２は、髪、不織布、熱可溶性樹脂フィルムなどの任意の素材からなる単層又は複層構造のシートの内面に、シリコンコーティング等の表面処理を施すことによって上記粘着手段３に対して剥離性を施すことによって上記粘着手段３に対して剥離性を示す剥離面２ａを形成したもので、該包装材２の長さ及び横幅はいずれも生理用ナプキン１の長さ及び横幅より大きく形成し、包装時に、該包装材２の幅方向の両端部が生理用ナプキン１の両側部から突出すると共に、少なくとも長さ方向の一旦部が生理用ナプキン１の長さ報告の一端部から突出するように構成している。」（第５頁１３行〜第６頁５行）
・「包装材２の止着方法としては、熱溶着、接着、擬接着、粘着、カシメ接合、逢着などがあるが、いずれの方法を用いるにしても包装材２を容易に開封できるようにしておくことが必要であり、」（第７頁４〜８行）
　
甲第２号証：実願平２−２９９２３号（実開平３−１２２８２５号）のマイクロフィルム
・「布製ショーツ本体Ａの股間部分の内側に、布地（１）に防水性薄膜（２）をラミネートしてなる防水シート材Ｂを、上記布地（１）側が、感圧性接着テープ（３）を裏面に備えた生理用ナプキンＣの装着面としての表面に露出するように、重ねて取りつけてなるものであって、上記の布地（１）の表面に生理用ナプキンＣの感圧性接着テープ（３）の少なくとも一部を強力に接着させる凹凸（５）を有する平滑部分（４）が設けられていることを特徴とする生理用ショーツ。」（実用新案登録請求の範囲）
・「本考案の生理用ショーツは、股間部分の内側にとりつけた防水シート材表面に凹凸を有する平滑部分が形成されているため、生理用ナプキンの接着テープを安定して装着できるだけでなく、その剥離も容易であり、」（第８頁７〜１１行）
・「本考案において、防水シート材に設けられる凹凸を有する平滑部分は、部分的に設けられるのが好ましく」（第５頁１０〜１２行）
　
（３）対比・判断
ａ．請求項１に係る発明について
  　本件特許の請求項１に係る発明（以下、本件第１発明という）と甲第１号証に記載された発明を対比すると、本件第１発明の「体液を吸収すべき領域を有する本体部」、「樹脂フィルム」、「下着へ添付するための粘着部」が、それぞれ刊行物１の「生理用ナプキン」、「包装材」、「非使用面の粘着手段」に対応している。また、本件第１発明の「樹脂フイルムの幅は本体部の左右方向幅より広く形成されて」いる点は、甲第１号証に記載された発明の「包装材２の横幅は生理用ナプキン１の横幅より大きく形成し」ている点に、同じく「樹脂製フィルムが貼着された状態でこれを外方側にして折り畳まれる」点は、「包装材の内部に、非使用面全面を剥離面に当接させた状態で包み込む」点に、「本体部の左右方向にはみ出した前記樹脂製フィルムの周辺領域の相互間が、使用時には開封可能に固着されている」点は、「該包装材の少なくとも側端部を止着してなる」及び「包装材２を容易に開封できるようにしておく」点に、それぞれ相当している。
　 そうすると、本件第１発明と甲第１号証に記載された発明では、本件発明が「樹脂製フィルム上に凹凸が全面に形成され」、「樹脂製フィルムの周辺領域の相互間が使用時には開封可能に、融着又はホット・メルト型の接着剤を使用した接着により、固着されている」ているのに対し、甲第１号証に記載された発明では「シリコンコーティング等の表面処理を施すことによって粘着手段に対して剥離性を施し」、「包装材の少なくとも側端部を止着する手段として熱溶着及び接着が例示はされているものの特に限定はされていない」点で相違し、その余の点では一致している。
     　
　そこで、この相違点について、以下に検討する。
　甲第１号証におけるシリコンコーティング等の表面処理は、生理用ナプキンの粘着手段に対して剥離性を向上するためのものである。一方、甲第２号証に記載された「生理用ショーツの股間部分の内側にとりつけた防水シート材表面に形成された凹凸を有する平滑部分は、「生理用ナプキンの接着テープを安定して装着できるだけでなく、その剥離も容易である」ようにするためのものである。
　甲第１号証における表面処理と甲第２号証における凹凸部分とは、固定と剥離性を両立するものである点では共通するものの、甲第２号証の上記凹凸部分は、「生理用ナプキンＣの感圧性接着テープ（３）の少なくとも一部を強力に接着させる」ものであって、「部分的に設けられるのが好ましい」とされているのに対し、甲第１号証の発明では、非使用面全面を剥離面に当接させ、しかも使用時の安定性ではなく粘着面からの良好な剥離性を主な目的とするものであるので、甲第２号証に記載された凹凸部分による剥離性向上手段が、甲第１号証における表面処理としてそのまま好適に適用できることが自明とはいえない。
　また、本件第１発明では、樹脂製フィルム上の全面に凹凸を形成し、融着又はホット・メルト型の接着剤を使用した接着によって、樹脂製フィルムの周辺領域の相互間が使用時には開封可能に固着されるものであり、甲第１号証に融着や接着が例示されているとしても甲第１号証に記載されたシリコンコーティングを単に全面に施した場合には、これらの固着手段によっては適切に固着できないのであるから、本件第１発明の構成を当業者が適宜に採用できるとはいえない。
  
　したがって、本件特許の請求項１に係る発明は、甲第１号証及び甲第２号証に記載された発明に基づいて、当業者が容易に発明できたものと認めることができない。また、本件特許の請求項２に係る発明は、請求項１に係る発明に「エンボス処理により凹凸が形成される」という構成要件を付加して限定するものであるので、上記と同様な理由により、甲第１号証及び甲第２号証に記載された発明に基づいて、当業者が容易に発明できたものと認めることができない。
  
４．むすび
　以上のとおりであるから、特許異議申立ての理由及び証拠によっては、本件の請求項１及び２に係る特許を取り消すことができない。
　また、他に本件の請求項１及び２に係る特許を取り消すべき理由を発見しない。
　よって、結論のとおり決定する。
【異議決定日】
平成１３年１２月１８日（２００１．１２．１８）
【訂正の要旨】
訂正の要旨
訂正事項ａ
　特許請求の範囲の減縮を目的として、特許請求の範囲の請求項１の
「【請求項１】　体液を吸収すべき領域を有する本体部と樹脂製フィルムとを具備し、下着へ貼付するための粘着部が本体部に設けられ、その上に凹凸が形成された樹脂製フィルムが貼着されるとともに、前記樹脂製フィルムの幅は本体部の左右方向の幅より広く形成され、
　本体部に前記樹脂製フィルムが貼着された状態でこれを外方側にして折り畳まれると共に、本体部の左右方向にはみ出した前記樹脂製フィルムの周辺領域の相互間が使用時には開封可能に固着されていることを特徴とする体液吸収用当て材。」
を
「【請求項１】　体液を吸収すべき領域を有する本体部と樹脂製フィルムとを具備し、下着へ貼付するための粘着部が本体部に設けられ、その上に凹凸が
全面に
　本体部に前記樹脂製フィルムが貼着された状態でこれを外方側にして折り畳まれると共に、本体部の左右方向にはみ出した前記樹脂製フィルムの周辺領域の相互間が使用時には開封可能に
、融着又はホット・メルト型の接着剤を使用した接着により
と訂正する。
訂正事項ｂ−１
　明りょうでない記載の釈明を目的として、発明の詳細な説明の【０００６】欄の
「その上に凹凸が形成された樹脂製フィルムが貼着されるとともに」
を
「その上に凹凸が
全面に
と訂正する。
訂正事項ｂ−２
　明りょうでない記載の釈明を目的として、発明の詳細な説明の【０００６】欄の
「本体部の左右方法にはみ出した前記樹脂製フィルムの周辺領域の相互間が使用時には開封可能に固着されていることを特徴とする。」
を
「本体部の左右方法にはみ出した前記樹脂製フィルムの周辺領域の相互間が使用時には開封可能に
、融着又はホット・メルト型の接着剤を使用した接着により
に訂正する。
（５４）【発明の名称】
体液吸収用当て材
（５７）【特許請求の範囲】
　【請求項１】　体液を吸収すべき領域を有する本体部と樹脂製フィルムとを具備し、下着へ貼付するための粘着部が本体部に設けられ、その上に凹凸が
全面に
、融着又はホット・メルト型の接着剤を使用した接着により
　【請求項２】　前記樹脂製フィルムには、エンボス処理により凹凸が形成されていることを特徴とする請求項１記載の体液吸収用当て材。
【発明の詳細な説明】
　【産業上の利用分野】
　この発明は体液吸収用当て材に関するものである。
　【従来の技術】
　汗や経血やおりもの等或いは失禁尿などの体液を吸収させるために下着に貼付して使用する体液吸収用当て材が知られている（この明細書では、体液吸収用当て材に吸収させるべきものを体液と総称する）。図７に示すように、この体液吸収用当て材は体液を吸収すべき領域を有する本体部１と剥離紙４とを具備する。そして、下着へ貼付するための粘着部５が本体部１に設けられ、その上に剥離紙４が貼着されている。従来、図８に示すように、この体液吸収用当て材は袋体６に１個づつ個別に収容されていた。しかし、使用時には袋体６を開封し、この中から体液吸収用当て材を取出し、次いで本体部１から剥離紙４を剥がし取るという重複した手間が必要であるが、これは大変面倒である。また下着への貼付時に廃棄すべきゴミとして袋体６と剥離紙４とがでてしまい、双方共に捨てなければならないという煩わしさがある。
　【発明が解決しようとする課題】
　そこで前記の重複した手間などを軽減すべく、発明者は次の手段を検討した。剥離紙のかわりに樹脂製フィルムを用い、その幅を本体部の左右方向の幅より広く形成する。そして本体部に設けられた粘着部に前記樹脂製フィルムを貼着した状態でこれを外方側にして折り畳み、本体部の左右方向にはみ出した樹脂製フィルムの周辺領域の相互間を融着や接着などの適宜の方法により使用時には開封可能に固着する。しかし、通常樹脂製フィルムは従来の剥離紙と相違し粘着部との剥離性に乏しく、本体部の粘着部と強固に固着してしまい使用時に剥がすことが困難であった。
　前記樹脂製フィルムに粘着部との剥離性を付与すべくシリコンの塗布を試みた。ところが、▲１▼シリコンは樹脂製フィルムヘの塗布後高温で乾燥する必要があるが多くの場合樹脂製フィルムの耐熱性が前記乾燥温度以下であり、▲２▼仮に塗布乾燥ができても樹脂製フィルム上へのシリコンの安定固定化は難しく経時的にシリコンが粘着部へと移行することがあり、▲３▼また樹脂製フィルムにシリコンを塗布した部分は融着性や接着性などの固着性を喪失するのでシリコンは粘着部からの剥離性が必要な箇所だけに部分コートする必要があるが、部分コートは加工コストが高いという問題があった。
　そこで、この発明は樹脂製フィルムと粘着部との剥離性を向上させることにより、使用時の重複した手間を軽減することができる体液吸収用当て材を提起することを課題とする。
　【課題を解決するための手段】
　前記課題を解決するためこの発明では次のような技術的手段を講じている。この発明の体液吸収用当て材は、体液を吸収すべき領域を有する本体部と樹脂製フィルムとを具備し、下着へ貼付するための粘着部が本体部に設けられ、その上に凹凸が
全面に
、融着又はホット・メルト型の接着剤を使用した接着により
　また、前記樹脂製フィルムには、エンボス処理により凹凸が形成されているとしてもよい。
　【作用】
　上記の手段を採用した結果、この発明は以下のような作用を有する。この発明の体液吸収用当て材は、樹脂製フィルムに凹凸が形成されている。凹凸が形成された樹脂製フィルムはその融着性や接着性などの固着性を保有しつつ、粘着部に対する樹脂製フィルムの接触面積は凹凸により減じられ、接触面積の減少により粘着力が及ぼされる領域も減少している。つまり樹脂製フィルム全体として粘着部に対する剥離性が向上しており、使用時に剥がしやすい。
　一方、本体部には前記樹脂製フィルムが貼着された状態でこれを外方側にして折り畳まれ、本体部の左右方向にはみ出した樹脂製フィルムの周辺領域の相互間が使用時には開封可能に固着されている。したがって、使用時には固着された領域を開封し前記樹脂製フィルムを剥がすだけの手間で済む。
　【実施例】
　以下、この発明の構成を実施例として示した図面を参照して説明する。
（実施例１）図１乃至図５に示すように、この実施例の体液吸収用当て材は、汗や経血やおりもの等或いは失禁尿などの体液を吸収すべき領域を有する本体部１と樹脂製フィルム２とを具備する。そして、下着へ貼付するための粘着部として粘着剤が本体部１の裏面に塗布され、その上に凹凸が形成された樹脂製フィルム２を貼着している。前記粘着剤としてこの実施例ではホット・メルト型のものを使用した。粘着部としては粘着剤の他に両面テープなども利用できる。前記樹脂製フィルム２の幅は本体部１の左右方向の幅より広く形成している。
　本体部１は体液を吸収させるため合成樹脂製の不織布で形成している。その他、化学繊維製や天然繊維製のもの若しくはこれらを混合して形成してもよい。また、本体部１は陸上競技のトラック形状に形成している。他にバイオリン形状や長円形状などの適宜の形状を採用できる。樹脂製フィルム２としてポリエチレン樹脂を用い、これに公知のエンボス処理により、図２に示すように凹凸を形成している。エンボス処理の他に、コロナ放電処理、薬品処理などによっても凹凸を形成できる。凹凸が形成された樹脂製フィルム２はその融着性や接着性などの固着性を保有しつつ、粘着剤に対する樹脂製フィルム２の接触面積は減じられ、接触面積の減少により粘着力が及ぼされる領域も減少している。つまり、樹脂製フィルム２全体として粘着剤に対する剥離性が向上しており、使用時に剥がしやすい。
　上記のように構成すると、樹脂製フィルムに粘着剤との剥離性を付与するためにシリコンを塗布する場合と比較して次のような利点がある。▲１▼シリコンを樹脂製フィルムへ塗布する場合のような高い耐熱性を有する樹脂製フィルムを選択する必要はなく、低融点の樹脂製フィルムでも採用できる。このことにより風合いの良いフィルムの選択が可能になる。▲２▼シリコンを塗布する場合のような粘着剤へのシリコンの経時的な移行などの悪影響のおそれがない。▲３▼樹脂製フィルムにシリコンを塗布する場合のような厄介な部分コートを施す手間が不要であり、樹脂製フィルムの全面に凹凸を形成しても固着性を喪失しない。
　樹脂製フィルム２の材質としてこの実施例のようなポリエチレン樹脂の他に、ポリプロピレン樹脂、塩化ビニール樹脂、ＰＥＴ等の適宜の融着や接着などの固着が可能な樹脂製フィルム２を用いることができる。この体液吸収用当て材は次のようにして形成できる。図３に示すように、本体部１の前後端の夫々の適宜領域、この実施例では両端の夫々からその全長の略４分の１程度の領域の相互間を、本体部１の裏面に樹脂製フィルム２が貼着された状態でこれを外方側にして折り畳む。更に、図４に示すように、前記の折り込まれた樹脂製フィルム２どうしを当接させるように略中央部を屈曲させて折り畳む。つまり、前後端の夫々から順に四ツ折りにした状態となる。この四ツ折りに折り畳んだ状態で、本体部１の左右方向にはみ出した前記樹脂製フィルム２の周辺領域３を使用時には開封可能となるように融着により固着する（図５に説明のため片側のみを融着した状態を示す）。この実施例では本体部１の幅より外側の重なった部分を熱シールにより融着している。融着の方法として、熱シールの他に超音波によるインパルス・シールによってもよい。また例えばホット・メルト型の接着剤などを使用し接着により固着してもよい。
　この実施例では体液吸収用当て材を上記のように構成したので、樹脂製フィルム２に剥離材と袋体の機能を併有させコストダウンが可能であるとともに、使用時には折り畳まれた当て材を拡げて樹脂製フィルム２を剥がすだけの手間で済むという利点がある。また、本体部１の裏面に樹脂製フィルム２を貼着した状態でこれを外方側にして折り畳んでいるので、従来袋体に１個づつ個別に収容していた場合と同様に本体部１へのゴミの侵入を防止でき衛生的である。また従来のものは下着への貼付時に廃棄すべきゴミとして袋体６と剥離紙４（図７及び図８参照）との双方がでてしまっていたが、この実施例のものは樹脂製フィルム２だけしかでず、ゴミの数及び捨てる際の煩わしさを軽減できる。
　（実施例２）上記実施例では体液吸収用当て材を四ツ折りとしたが、図６に示すように三ツ折りとして体液吸収用当て材を形成することもできる（説明のため片側のみを融着した状態を示す）。この実施例のものも実施例１とほぼ同様にして形成できるとともに、同様の利点を有する。
　【発明の効果】
　この発明は上述のような構成を有するものであり、次の効果を奏する。樹脂製フィルムと粘着部との剥離性が向上し、使用時には固着された領域を開封し樹脂製フィルムを剥がすだけの手間で済むので、使用時の重複した手間を軽減することができる体液吸収用当て材を提供することができる。
【図面の簡単な説明】
　【図１】この発明の体液吸収用当て材の実施例１を説明する斜視図。
　【図２】図１の体液吸収用当て材の断面図。
　【図３】図１の体液吸収用当て材を折り畳んだ状態の斜視図。
　【図４】図２の体液吸収用当て材を更に折り畳んだ状態の斜視図。
　【図５】図３の体液吸収用当て材の樹脂製フィルムの周辺領域が融着された状態を説明する斜視図。
　【図６】この発明の体液吸収用当て材の実施例２を説明する斜視図。
　【図７】従来の体液吸収用当て材を説明する斜視図。
　【図８】従来の体液吸収用当て材の袋体からの取出し方を説明する斜視図。
　【符号の説明】
１　本体部
２　樹脂製フィルム
３　周辺領域